【事件の表示】
　特願２０１３−１１４３４９「電子機器、制御方法、及び制御プログラム」拒絶査定不服審判事件〔平成２６年１２月１１日出願公開、特開２０１４−２３３０５８〕について、次のとおり審決する。
【結　論】
　本件審判の請求は、成り立たない。
【理　由】
第１　手続の経緯
１．経緯
　本件出願は、平成２５年５月３０日の出願であって、その手続の経緯は、以下のとおりである。
　平成２８年　９月２７日：拒絶理由通知（発送日）
　　　　同年１１月２８日：意見書、手続補正書
　平成２９年　５月　９日：拒絶査定の謄本の送達
　　　　同年　８月　７日：審判請求書、手続補正書
２．査定の概要
　原査定の拒絶の理由は、概略、次のとおりである。
（理由１）この出願の請求項１〜６に係る発明は、本願の出願前に頒布された特開２００５−２０４０７７号公報に記載された発明、特開２００２−１９９３１２号公報に記載された技術及び周知技術に基づいて、その出願前にその発明の属する技術の分野における通常の知識を有する者が容易に発明をすることができたものであるから、特許法第２９条第２項の規定により特許を受けることができない
（理由２）この出願の請求項１〜６に係る発明は、本願の出願前に頒布された特開２００２−１９９３１２号公報に記載された発明、特開２００５−２０４０７７号公報に記載された技術及び周知技術に基づいて、その出願前にその発明の属する技術の分野における通常の知識を有する者が容易に発明をすることができたものであるから、特許法第２９条第２項の規定により特許を受けることができない。
第２　補正却下の決定
　平成２９年８月７日付けの手続補正について、次のとおり決定する。
［補正却下の決定の結論］
　平成２９年８月７日付けの手続補正を却下する。
［理由］
１．補正の内容
　平成２９年８月７日付けの手続補正（以下「本件補正」という。）は、特許請求の範囲についてする補正である。
　本件補正は、本件補正前の平成２８年１１月２８日付けの手続補正により補正された特許請求の範囲の請求項１〜６を、次のとおり本件補正後の請求項１〜６に補正するものである（下線は補正箇所である。）。
　なお、符号（Ａ）〜（Ｄ）は、説明のために当審において付与したものであり、以下、構成Ａ〜構成Ｄと称する。
（本件補正前の請求項１〜６）
　　【請求項１】
（Ａ）カメラと、
（Ｂ）前記カメラにより撮影された画像のデータ、前記撮影された画像のデータに紐付けられるグループのグループ情報、及び前記グループごとに画像撮影時に参照する設定情報を記憶するストレージと、
（Ｃ１）前記カメラにより捕捉されるイメージデータをディスプレイに表示すると、前記撮影された画像のデータを紐付けるグループの選択を受け付けるコントローラと
　を有し、
（Ｃ２）前記コントローラは、前記カメラにより捕捉されるイメージデータをディスプレイに表示すると、前記ストレージに記憶されている前記設定情報の中から、前記選択を受け付けたグループに対応する前記設定情報を参照して、前記カメラによる画像の撮影を制御する
（Ｄ）電子機器。
　　【請求項２】
　前記コントローラは、前記カメラにより捕捉されるイメージデータをディスプレイに表示すると、前記設定情報の入力があった場合には、前記入力のあった前記設定情報を、前記選択を受け付けたグループに対応する新たな前記設定情報として、前記ストレージに格納する請求項１に記載の電子機器。
　　【請求項３】
　前記コントローラは、前記カメラにより捕捉されるイメージデータをディスプレイに表示し、入力された新規グループの選択を受け付けた場合には、前記新規グループの画像撮影時に参照する前記設定情報の入力を要求し、要求に応じて取得した前記設定情報を前記新規グループに対応付けて前記ストレージに格納する請求項２に記載の電子機器。
　　【請求項４】
　前記コントローラは、前記カメラにより捕捉されるイメージデータをディスプレイに表示し、入力された新規グループの選択を受け付けた場合には、前記新規グループの画像撮影時に参照する前記設定情報として複数の推奨情報の中から当該推奨情報の選択を要求し、要求に応じて選択された推奨情報を前記新規グループに対応付けて前記ストレージに格納する請求項２に記載の電子機器。
　　【請求項５】
　カメラと、前記カメラにより撮影された画像のデータ、前記撮影された画像のデータに紐付けられるグループのグループ情報、及び前記グループごとに画像撮影時に参照する設定情報を記憶するストレージを有する電子機器を制御する制御方法であって、
　前記カメラにより捕捉されるイメージデータをディスプレイに表示すると、撮影された画像のデータを紐付けるグループの選択を受け付けるステップと、
　前記ストレージに記憶されている前記設定情報の中から、前記選択を受け付けたグループに対応する前記設定情報を参照して、前記カメラによる画像の撮影を制御するステップと、
　前記選択を受け付けたグループに紐付けて前記画像のデータを前記ストレージに格納するステップと
　を含む制御方法。
　　【請求項６】
　カメラと、前記カメラにより撮影された画像のデータ、前記撮影された画像のデータに紐付けられるグループのグループ情報、及び前記グループごとに画像撮影時に参照する設定情報を記憶するストレージを有する電子機器に、
　前記カメラにより捕捉されるイメージデータをディスプレイに表示すると、撮影された画像のデータを紐付けるグループの選択を受け付けるステップと、
　前記ストレージに記憶されている前記設定情報の中から、前記選択を受け付けたグループに対応する前記設定情報を参照して、前記カメラによる画像の撮影を制御するステップと、
　前記選択を受け付けたグループに紐付けて前記画像のデータを前記ストレージに格納するステップと
　を実行させる制御プログラム。
（本件補正後の請求項１〜６）
　　【請求項１】
（Ａ）カメラと、
（Ｂ）前記カメラにより撮影された画像のデータ、前記撮影された画像のデータに紐付けられるグループのグループ情報、及び前記グループごとに画像撮影時に参照する設定情報を記憶するストレージと、
（Ｃ１）前記カメラにより捕捉されるイメージデータをディスプレイに表示すると、前記撮影された画像のデータを紐付けるグループの選択を受け付けるコントローラと
　を有し、
（Ｃ２）前記コントローラは、前記カメラにより捕捉されるイメージデータをディスプレイに表示すると、前記ストレージに記憶されている前記設定情報の中から、前記選択を受け付けたグループに対応する前記設定情報を参照して、前記カメラによる画像の撮影を制御
し、
（Ｃ３）
前記カメラによる画像の撮影が終了すると、前記選択を受け付けたグループに対応するアイコンを作成
（Ｄ）電子機器。
　　【請求項２】
　前記コントローラは、前記カメラにより捕捉されるイメージデータをディスプレイに表示すると、前記設定情報の入力があった場合には、前記入力のあった前記設定情報を、前記選択を受け付けたグループに対応する新たな前記設定情報として、前記ストレージに格納する請求項１に記載の電子機器。
　　【請求項３】
　前記コントローラは、前記カメラにより捕捉されるイメージデータをディスプレイに表示し、入力された新規グループの選択を受け付けた場合には、前記新規グループの画像撮影時に参照する前記設定情報の入力を要求し、要求に応じて取得した前記設定情報を前記新規グループに対応付けて前記ストレージに格納する請求項２に記載の電子機器。
　　【請求項４】
　前記コントローラは、前記カメラにより捕捉されるイメージデータをディスプレイに表示し、入力された新規グループの選択を受け付けた場合には、前記新規グループの画像撮影時に参照する前記設定情報として複数の推奨情報の中から当該推奨情報の選択を要求し、要求に応じて選択された推奨情報を前記新規グループに対応付けて前記ストレージに格納する請求項２に記載の電子機器。
　　【請求項５】
　カメラと、前記カメラにより撮影された画像のデータ、前記撮影された画像のデータに紐付けられるグループのグループ情報、及び前記グループごとに画像撮影時に参照する設定情報を記憶するストレージを有する電子機器を制御する制御方法であって、
　前記カメラにより捕捉されるイメージデータをディスプレイに表示すると、撮影された画像のデータを紐付けるグループの選択を受け付けるステップと、
　前記ストレージに記憶されている前記設定情報の中から、前記選択を受け付けたグループに対応する前記設定情報を参照して、前記カメラによる画像の撮影を制御
し、前記カメラによる画像の撮影が終了すると、前記選択を受け付けたグループに対応するアイコンを作成
　前記選択を受け付けたグループに紐付けて前記画像のデータを前記ストレージに格納するステップと
　を含む制御方法。
　　【請求項６】
　カメラと、前記カメラにより撮影された画像のデータ、前記撮影された画像のデータに紐付けられるグループのグループ情報、及び前記グループごとに画像撮影時に参照する設定情報を記憶するストレージを有する電子機器に、
　前記カメラにより捕捉されるイメージデータをディスプレイに表示すると、撮影された画像のデータを紐付けるグループの選択を受け付けるステップと、
　前記ストレージに記憶されている前記設定情報の中から、前記選択を受け付けたグループに対応する前記設定情報を参照して、前記カメラによる画像の撮影を制御
し、前記カメラによる画像の撮影が終了すると、前記選択を受け付けたグループに対応するアイコンを作成
　前記選択を受け付けたグループに紐付けて前記画像のデータを前記ストレージに格納するステップと
　を実行させる制御プログラム。
２．補正の適否
　本件補正は、本件補正前の請求項１に記載された発明を特定するために必要な事項である「コントローラ」について、構成Ｃ３を付加する補正事項を含むものである。
　本件補正の目的について検討する。
　本件補正前の請求項１には、特定するために必要な事項である「コントローラ」について、構成Ｃ１及び構成Ｃ２が記載されている。
　本件補正前の請求項１の構成Ｃ１及び構成Ｃ２は、電子機器の画像撮影時の制御に関するものであって、カメラにより捕捉されるイメージデータをディスプレイに表示した時に、当該構成Ｃ１は、「コントローラ」が「撮影された画像のデータを紐付けるグループの選択を受け付ける」ことを記載したものであり、当該構成Ｃ２は、「コントローラ」が「選択を受け付けたグループに対応する前記設定情報を参照して、前記カメラによる画像の撮影を制御する」ことを記載したものである。
　一方、本件補正後の請求項１の構成Ｃ３は、電子機器の画像の撮影が終了した後の制御に関するものであって、「コントローラ」が「
選択を受け付けたグループに対応するアイコンを作成する
　よって、本件補正後の請求項１の構成Ｃ３は、本件補正前の請求項１に記載の「コントローラ」の制御に関する事項を追加するものであるが、本件補正前の請求項１の構成Ｃ１及び構成Ｃ２に記載されている電子機器の画像撮影時の制御に関するものを限定するものとはいえない。
　したがって、本件補正は、本件補正前の請求項１に記載された発明を特定するために必要な事項である「コントローラ」の上記構成Ｃ１及び構成Ｃ２に記載の事項を限定するものではないから、特許法第１７条の２第５項第２号の特許請求の範囲の減縮を目的とするものではない。
　また、本件補正が、請求項の削除、明りょうでない記載の釈明、又は誤記の訂正を目的としたものでないことは明らかである。
３．むすび
　以上のとおり、本件補正は、特許法第１７条の２第５項に規定する要件に違反するものであり、同法第１５９条第１項において読み替えて準用する同法第５３条第１項の規定により却下すべきものである。 
　よって、補正却下の決定の結論のとおり決定する。
４．予備的検討（独立特許要件について）
　上記のとおり、本件補正は却下されたが、仮に本件補正が、特許法第１７条の２第５項第２号の特許請求の範囲の減縮を目的とするものに該当するとした場合について、本件補正後における発明が同条第６項において準用する同法第１２６条第７項の規定に適合するか（特許出願の際独立して特許を受けることができるものであるか）についても、以下に検討する。
（１）本件補正発明
　本件補正後の請求項１〜６に係る発明のうち請求項１に係る発明（以下「本件補正発明」という。）は、次のとおりのものである。
（本件補正発明）
（Ａ）カメラと、
（Ｂ）前記カメラにより撮影された画像のデータ、前記撮影された画像のデータに紐付けられるグループのグループ情報、及び前記グループごとに画像撮影時に参照する設定情報を記憶するストレージと、
（Ｃ１）前記カメラにより捕捉されるイメージデータをディスプレイに表示すると、前記撮影された画像のデータを紐付けるグループの選択を受け付けるコントローラと
　を有し、
（Ｃ２）前記コントローラは、前記カメラにより捕捉されるイメージデータをディスプレイに表示すると、前記ストレージに記憶されている前記設定情報の中から、前記選択を受け付けたグループに対応する前記設定情報を参照して、前記カメラによる画像の撮影を制御し、
（Ｃ３）前記カメラによる画像の撮影が終了すると、前記選択を受け付けたグループに対応するアイコンを作成する
（Ｄ）電子機器。
（２）引用文献の記載事項
ア．引用文献１
（ア）引用文献１の記載事項
　原査定の拒絶の理由で引用された特開２００２−１９９３１２号公報（以下、「引用文献１」という。）には、図面とともに、次の事項が記載されている。（下線は、当審において付与したものである。）
ａ　「【発明の詳細な説明】
【０００１】
【発明の属する技術分野】本発明は、画像処理装置、フォルダ管理方法、電子機器、データ分類方法及び記憶媒体に関し、特に、
撮影画像をデジタル信号で記録するデジタルカメラ等のデジタル画像処理装置（電子機器）
ｂ　「【００５９】［第１の実施の形態］図１は本発明の第１の実施の形態に係る画像処理装置（デジタルカメラ）の構成を示すブロック図である。本発明の第１の実施の形態に係る
画像処理装置は、撮影レンズ群１０、撮像素子１２、撮像素子制御回路１４、画像処理回路１６を有するカメラモジュール１７と、ＣＰＵ１８
と、ＲＯＭ（制御プログラムメモリ）２０と、画像展開エリア２２ａ、ワークエリア２２ｂ、一時退避エリア２２ｃを有するＲＡＭ２２と、撮影・風景フォルダ２４ａ、画像保存領域２４ｂ、撮影・ポートレートフォルダ２４ｃ、画像保存領域２４ｄ、印刷・明るさフォルダ２４ｅ、印刷・コントラストフォルダ２４ｆ、ＴＥＭＰフォルダ２４ｇを有する主記憶装置２４と、
ＶＲＡＭ２７と、表示駆動回路２８と、ＬＣＤ表示装置３０（表示手段）と、
シャッタスイッチ３２と、
とを具備している。
ｃ　「図１
　
　」
ｄ　「【００６３】
主記憶装置２４は、各種設定が記憶された撮影及び印刷フォルダ群を格納する
撮影・風景フォルダ２４ａは、風景撮影用に最適化された撮影条件が格納され、撮影後の画像を保存することができる。画像保存領域２４ｂは、撮影・風景フォルダ２４ａ用の画像格納領域である。撮影・ポートレートフォルダ２４ｃは、撮影・風景フォルダ２４ａとは違う撮影用に最適化されたフォルダである。画像保存領域２４ｄは、撮影・ポートレートフォルダ２４ｃ用の画像格納領域である。
【００６４】
以降、スポーツフォルダや、任意に作成したフォルダの領域が存在する。
ｅ　「【００６７】ＣＰＵ１８には、データバスやアドレスバス、及びチップセレクトやリード／ライト信号からなるコントロール信号を介して、ＲＯＭ２０、ＲＡＭ２２、主記憶装置（データ記憶装置）２４、画像処理回路１６、ＬＣＤ制御回路２６、シャッタスイッチ３２、ＵＳＢモジュール３３、ＲＴＣ３４がそれぞれ接続されている。
ＣＰＵ１８は、ＲＯＭ２０内の制御プログラムに基づいて各種制御を行う。
画像処理回路１６から出力される撮影画像データを
ＬＣＤ制御回路２６にデータをＤＭＡ転送する制御、画像データをＪＰＥＧ圧縮し、所定のファイル形式で主記憶装置２４に格納する制御、及びシャッタスイッチ３２の操作に伴う撮影動作の指示等の処理も含まれる。
ｆ　「【００６９】
主記憶装置２４は、ＣＰＵ１８によりＪＰＥＧ圧縮後格納された撮影画像データ（２４ｂ、２４ｄ）、及びアプリケーションにより参照される各フォルダ情報等付属データ（２４ａ、２４ｃ）等を所定の形式で記憶するメモリである
ＣＰＵ１８は主記憶装置２４の画像保存領域２４ｂ内の最後に、撮影日時をファイル名とした撮影画像データにファイル名を付加し、撮影画像のＪＰＥＧ圧縮画像を保存する。
ｇ　「【００７３】シャッタスイッチ３２は、撮影動作開始を指示するためのスイッチであり、スチルカメラで周知のように、半押し状態と全押し状態の２つのポジションを取り得るものからなる。
ＣＰＵ１８は、撮影前に指定されたフォルダから撮影条件を読み出し、その撮影条件に近い値でシャッタスピード及び絞り制御等のパラメータをコントロールし、シャッタスイッチ３２が半押し状態で、シャッタスピード及び絞り制御等のパラメータをロックし、その後、シャッタスイッチ３２が全押しされたと判断した場合、画像展開エリア２２ａでＪＰＥＧ圧縮した撮影画像を、ＲＴＣ３４から取得した時刻情報から得られる撮影日時データをファイル名として、指定されたフォルダ内に保存する。
ｈ　「【００７９】次に、上記の如く構成された本発明の第１の実施の形態に係る画像処理装置（デジタルカメラ）の動作を図１〜図１６に基づき詳細に説明する。
【００８０】先ず、本発明の第１の実施の形態の撮影フォルダ選択から保存までについて図２〜図３、図４〜図１０を参照しながら説明する。図２〜図３は画像撮影から保存までの流れを示すフローチャート、図４〜図１０は図２〜図３の画像再生モードにおける表示例である。
【００８１】
画像処理装置の電源が投入され、操作者が撮影モードを選択すると、ＬＣＤ表示装置３０上に
フォルダ選択画面３０１が表示される
ｉ　「【００８３】撮影フォルダ３０２の中の各フォルダから、
既に設定されている風景３０３・ポートレート３０４・スポーツ３０５等のフォルダを選択した場合
ＣＰＵ１８は、主記憶装置２４内の各フォルダに設定されているシャッタスピードや絞り等の情報を直ちに反映させ、ＬＣＤ表示装置３０上にファインダ画像３０９を表示する。操作者がファインダ画像３０９を見ながらシャッタスイッチ３２を押下すると
ＣＰＵ１８は、指定された画像サイズで画像情報を取り込み、ＪＰＥＧ圧縮した後、
指定フォルダ内に画像データを保存する
撮影モードを変更しない場合は
引き続き撮影を行い、同じフォルダ内に画像データが蓄積される。
ｊ　「【００８４】
撮影時に操作者が既存のフォルダ以外の任意のフォルダを作成したい場合
ＣＰＵ１８は
ＬＣＤ表示装置３０上にテンプレート表示３１０を表示する
操作者がテンプレート表示３１０上の各設定をペン６０２で選択し、
【００８５】次に、任意のフォルダ名を入力し（ステップＳ２１２）、最終確認及びフォルダ名登録画面３１１上のＹｅｓ３１８を押下すると、撮
影フォルダ３０２内に新規フォルダ（子供たち）３１３が登録される
ｋ　「図７
　
　」
（イ）引用文献１に記載された発明
　上記記載から、引用文献１には、次の技術事項が記載されているものと認められる。
ａ　上記（ア）ａから、引用文献１には、撮影画像をデジタル信号で記録するデジタルカメラ等のデジタル画像処理装置（電子機器）が記載されている。
ｂ　上記（ア）ｂから、引用文献１に記載の画像処理装置は、撮影レンズ群１０、撮像素子１２、撮像素子制御回路１４、画像処理回路１６を有するカメラモジュール１７を具備している。
ｃ　上記（ア）ｂから、前記画像処理装置は、ＣＰＵ１８と、ＲＯＭ２０と、ＲＡＭ２２と、主記憶装置２４と、ＶＲＡＭ２７と、表示駆動回路２８と、ＬＣＤ表示装置３０と、シャッタスイッチ３２とを具備する。
ｄ　上記（ア）ｂ、ｃ及びｄから、前記主記憶装置２４に記憶された撮影・風景フォルダ２４ａは、風景撮影用に最適化された撮影条件が格納され、撮影後の画像を保存することができ、画像保存領域２４ｂは撮影・風景フォルダ２４ａ用の画像格納領域である。
　また、主記憶装置２４に記憶された撮影・ポートレートフォルダ２４ｃは、撮影・風景フォルダ２４ａとは違う撮影用に最適化されたフォルダであり、画像保存領域２４ｄは、撮影・ポートレートフォルダ２４ｃ用の画像格納領域である。
　また、主記憶装置２４には、スポーツフォルダ及び任意に作成したフォルダの領域が存在する。
ｅ　上記（ア）ｊ及びｋから、前記任意に作成したフォルダである子供たちフォルダには、操作者がＬＣＤ表示装置３０上のテンプレート表示３１０上の各設定をペン６０２で選択した「絞り設定・シャッタスピード設定等の撮影に関する撮影条件」を登録する。
ｆ　上記（ア）ｈから、前記画像処理装置は、電源が投入され、操作者が撮影モードを選択すると、ＬＣＤ表示装置３０上にフォルダ選択画面３０１を表示する。ここで、上記（ア）ｅから、前記ＣＰＵ１８は、各種制御を行うものであり、フォルダ選択画面３０１の表示を制御しているものと認められる。
ｇ　上記（ア）ｉから、前記フォルダ選択画面３０１で、既に設定されている風景３０３・ポートレート３０４・スポーツ３０５等のフォルダを選択した場合、前記ＣＰＵ１８は、前記主記憶装置２４内の各フォルダに設定されているシャッタスピードや絞り等の情報を直ちに反映させ、前記ＬＣＤ表示装置３０上にファインダ画像３０９を表示する。
　ここで、上記（ア）ｂ及びｅから、当該「ファインダ画像３０９」は、前記カメラモジュール１７の画像処理回路１６から出力される撮影画像データである。
ｈ　上記（ア）ｉ及びｊから、前記ＣＰＵ１８は、撮影前に指定されたフォルダから撮影条件を読み出し、その撮影条件でシャッタスピード及び絞り制御等のパラメータをコントロールし、操作者が前記ファインダ画像３０９を見ながら前記シャッタスイッチ３２が全押しされたと判断した場合、ＪＰＥＧ圧縮した撮影画像を、撮影日時データをファイル名として、指定されたフォルダ内に保存する。
　ここで、上記（ア）ｅ及びｇから、当該「ＪＰＥＧ圧縮した撮影画像」は、前記カメラモジュール１７の画像処理回路１６から出力される撮影画像データを前記ＣＰＵ１８がＪＰＥＧ圧縮したものである。
ｉ　以上によると、引用文献１には、次の発明（以下「引用発明」という。）が記載されていると認められる。
　なお、引用発明の符号（ａ）〜（ｄ）は、説明のために当審において付与したものであり、以下、構成ａ〜構成ｄと称する。
（引用発明）
（ａ）撮像素子を有するカメラモジュールと、
（ｄ）ＣＰＵと、主記憶装置と、ＬＣＤ表示装置と、シャッタスイッチとを具備する画像処理装置（デジタルカメラ）であって、
（ｂ）前記主記憶装置は、風景撮影用に最適化された撮影条件が格納される撮影・風景フォルダと、前記撮影・風景フォルダ用の画像保存領域と、前記撮影・風景フォルダとは違う撮影用に最適化された撮影条件が格納される撮影・ポートレートフォルダと、前記撮影・ポートレートフォルダ用の画像保存領域と、スポーツのフォルダと、操作者が選択した絞り設定・シャッタスピード設定等の撮影に関する撮影条件が格納される子供たちフォルダとが登録された撮影フォルダを有しており、
（ｃ１）前記ＣＰＵは、前記画像処理装置の電源が投入され、操作者が撮影モードを選択すると、前記ＬＣＤ表示装置上にフォルダ名を含むフォルダ選択画面を表示し、
（ｃ２）前記ＣＰＵは、前記撮影フォルダの中の各フォルダから、既に設定されているフォルダを選択した場合に、各フォルダに設定されている絞り設定・シャッタスピード設定等の撮影に関する撮影条件を読み出し、直ちに反映させ、前記カメラモジュールから出力される撮影画像データであるファインダ画像を前記ＬＣＤ表示装置上に表示し、
（ｃ３）前記ＣＰＵは、操作者が前記ファインダ画像を見ながら前記シャッタスイッチが全押しされたと判断した場合、前記カメラモジュールから出力される撮影画像データをＪＰＥＧ圧縮した撮影画像を、撮影日時データをファイル名として、指定されたフォルダ内に保存する、
（ｄ）画像処理装置（デジタルカメラ）。
イ　引用文献２
（ア）引用文献２の記載事項
　本願出願前に頒布された特開２００４−３０４６１９号公報（以下、「引用文献２」という。）には、図面とともに、次の事項が記載されている。
ａ　「【０００１】
【発明の属する技術分野】
本発明は、デジタルカメラに関し、更に詳しくは
画像の分類を簡単にでき、かつ画像の検索を容易にできるデジタルカメラ
ｂ　「【００１４】
デジタルカメラ１０の電気的構成を示す図３において、撮影部３０は、撮影レンズ１１，ＣＣＤ，Ａ／Ｄコンバータ等からなる。
撮影部３０から出力される画像データは、ｊｐｅｇ等の圧縮方式で圧縮され
ＣＰＵ３２は、
フォルダの作成を行ったり、画像データをバッファメモリ３１から読み出してメモリカード２７のフォルダに格納したり、また画像データを読み出したりする
ｃ　「【００１６】
このように構成されたデジタルカメラの作用を図４に示すフローチャートを参照して説明する。例えば、撮影のテーマを北海道旅行とした場合、まず北海道の代表的な風景、例えば時計台４１（図５参照）を撮影テーマの代表画像として撮影する。この撮影に際しては、フォルダ作成ＳＷ１６を押してから続けてシャッタボタン１５を押す。これにより、撮影部３０から出力された時計台４１の画像データがバッファメモリ３１に記憶されるとともに、ＲＯＭ３６に格納されているフォルダ作成プログラム及びアイコン作成プログラムがＲＡＭ３７にロードされて起動する。
【００１７】
ＣＰＵ３２は、フォルダ作成プログラムに従ってメモリカード２７にフォルダＦＬ＿１を新規に作成してから
この画像データ４２から自動的に縮小作成されるサムネイルデータ４３と、画像データ４２に対応する画像付帯情報４４とから構成される
【００１８】
ＣＰＵ３２は、フォルダＦＬ＿１に画像ファイルＧＦ＿１を格納した後、アイコン作成プログラムに従って、フォルダＦＬ＿１を表すフォルダアイコン５１（図６参照）のリンクデータとして画像ファイルＧＦ＿１のサムネイルデータ４３を指定する
前記フォルダアイコン５１は、時計台４１のサムネイル（縮小画像）で表示される。
【００１９】
前記時計台４１以降の撮影では、フォルダ作成ＳＷ１６を押さずにシャッタボタン１５のみを押す。これにより、以降の撮影画像の画像データは、次のフォルダＦＬ＿２を新規に作成するまで継続してフォルダＦＬ＿１に格納される。この結果、北海道旅行における撮影画像は全てフォルダＦＬ＿１に納められる。
【００２０】
別のテーマで撮影を行う場合には、フォルダ作成ＳＷ１６を押してからシャッタボタン１５を押せば、その時の撮影画像のサムネイルをフォルダアイコンとするフォルダＦＬ＿２が新規に作成され、それ以降の撮影画像の画像データがフォルダＦＬ＿２に格納される
（イ）引用文献２に記載された技術項
　以上によると、引用文献２には、次の技術事項が記載されていると認められる。
（引用文献２に記載された技術）
　デジタルカメラにおいて、ＣＰＵは、撮像部にから出力される撮影画像の画像データをフォルダに格納し、前記撮影画像のサムネイルを生成し、前記撮影画像のサムネイルを前記フォルダのフォルダアイコンとする技術。
（３）対比
ア　本件補正発明と引用発明との対比
（ア）構成Ａ及び構成Ｄについて
　構成ａの「カメラモジュール」は、構成Ａの「カメラ」に相当する。
　構成ｄの「画像処理装置（デジタルカメラ）」は、カメラ及びＣＰＵを有する機器であるから、構成Ｄの「電子機器」に相当する。
（イ）構成Ｂについて
　構成ｃ３の「ＪＰＥＧ圧縮した撮影画像」は、構成Ｂの「カメラにより撮影された画像のデータ」に相当し、構成ｂの「風景撮影用に最適化された撮影条件」及び「絞り設定・シャッタスピード設定等の撮影に関する撮影条件」は、構成Ｂの「画像撮影時に参照する設定情報」に相当する。
　よって、構成ｂと構成Ｂとは、「カメラにより撮影された画像のデータ及び画像撮影時に参照する設定情報を記憶するストレージ」である点で共通する。
　また、構成ｂの主記憶装置に作成された「フォルダ」は、一つフォルダを指定することで、ＣＰＵは当該フォルダに保存した撮影画像を識別することから、撮影画像に紐付けられた「識別のための指標」であり、当該フォルダの「フォルダ名」は、「識別情報」といえる。
　よって、構成ｂの「フォルダ」及び「フォルダ名」と、構成Ｂの「グループ」及び「グループ情報」とは、撮影された画像のデータに紐付けられる「識別のための指標」及び「識別情報」である点で共通する。
　しかしながら、「ストレージ」に記憶する撮影された画像のデータに紐付けられる「識別のための指標」及び「識別情報」について、構成Ｂは、「グループ情報」を記憶し、且つ設定情報は「グループごと」の情報を記憶するのに対して、構成ｂは、「フォルダ名」を記憶し、且つ設定情報は「フォルダごと」の情報を記憶する点で相違する。
（ウ）構成Ｃ１
　構成ｃ１及び構成ｃ２の「ＬＣＤ表示装置」は、画像を表示するから、構成Ｃ１及び構成Ｃ２の「ディスプレイ」に相当する。
　構成ｃ２及び構成ｃ３の「カメラモジュールから出力される撮影画像データを変換したファインダ画像」は、構成Ｃ１及び構成Ｃ２の「カメラにより捕捉されるイメージデータ」に相当する。
　また、構成ｃ１の「前記ＬＣＤ表示装置上にフォルダ名を含むフォルダ選択画面を表示し」及び構成ｃ２の「前記撮影フォルダの中の各フォルダから、既に設定されているフォルダを選択した場合に」は、ＣＰＵが各フォルダの選択を受け付けることであるから、構成ｃ１及び構成ｃ２の「ＣＰＵ」は、上記（イ）の「識別のための指標」の相違を除き、構成Ｃ１の「前記撮影された画像のデータを紐付ける識別のための指標の選択を受け付けるコントローラ」に相当する。
　よって、構成ｃ１及び構成ｃ２と構成Ｃ１とは、「識別のための指標の選択を受け付けるコントローラ」である点で共通する。
　しかしながら、本件補正発明の構成Ｃ１は、「カメラにより捕捉されるイメージデータをディスプレイに表示すると」、識別のための指標の選択を受け付けるのに対して、引用発明の構成ｃ１及び構成ｃ２は、「ファインダ画像を前記ＬＣＤ表示装置上に表示」する前に、識別のための指標の選択を受け付ける点で相違する。
（エ）構成Ｃ２
　構成ｃ２の「ＣＰＵは、既に設定されているフォルダを選択した場合に、各フォルダに設定されている絞り設定・シャッタスピード設定等の撮影に関する撮影条件を読み出し、直ちに反映させ」及び構成ｃ３の「ＣＰＵは、操作者が前記ファインダ画像を見ながら前記シャッタスイッチが全押しされたと判断した場合、前記カメラモジュールから出力される撮影画像データをＪＰＥＧ圧縮した撮影画像を、撮影日時データをファイル名として、指定されたフォルダ内に保存する」は、ＣＰＵが各フォルダに対応する設定情報を参照してカメラによる画像の撮影を制御することであるから、上記（イ）の「識別のための指標」の相違を除き、構成Ｃ１のコントローラは、「前記ストレージに記憶されている前記設定情報の中から、前記選択を受け付けた識別のための指標に対応する前記設定情報を参照して、前記カメラによる画像の撮影を制御し」に相当する。
　よって、構成ｃ２及び構成ｃ３と構成Ｃ２とは、「前記コントローラは」、「前記ストレージに記憶されている前記設定情報の中から、前記選択を受け付けた識別のための指標に対応する前記設定情報を参照して、前記カメラによる画像の撮影を制御」する点で共通する。
　しかしながら、本件補正発明の構成Ｃ２は、「カメラにより捕捉されるイメージデータをディスプレイに表示すると」、選択を受け付けた識別のための指標に対応する設定情報を参照するのに対して、引用発明の構成ｃ２及び構成ｃ３は、「ファインダ画像を前記ＬＣＤ表示装置上に表示」する前に、選択を受け付けた識別のための指標に対応する設定情報を参照する点で相違する。
（オ）構成Ｃ３
　本件補正発明の構成Ｃ３は、「カメラによる画像の撮影が終了すると、選択を受け付けたグループに対応するアイコンを作成する」のに対して、引用発明は、そのような構成を有していない点で相違する。
イ　一致点、相違点
　以上のことから、本件補正発明と引用発明との一致点及び相違点は、次のとおりである。
（一致点）
　カメラと、
　前記カメラにより撮影された画像のデータ、前記撮影された画像のデータに紐付けられる「識別のための指標」の「識別情報」、及び「識別のための指標」ごとに画像撮影時に参照する設定情報を記憶するストレージと、
　前記カメラにより捕捉されるイメージデータをディスプレイに表示するコントローラと、
　前記撮影された画像のデータを紐付ける「識別のための指標」を選択を受け付けるコントローラと
　を有し、
　前記コントローラは、前記ストレージに記憶されている前記設定情報の中から、前記選択を受け付けた「識別のための指標」に対応する前記設定情報を参照して、前記カメラによる画像の撮影を制御する
　電子機器。
（相違点１）
　本件補正発明は、撮影された画像のデータに紐付けられる「識別のための指標」及び「識別情報」が「グループ」及び「グループ情報」であって、ストレージは、グループ情報及びグループごとの設定情報を記憶し、コントローラはグループの選択を受け付けるのに対して、引用発明は、撮影された画像のデータに紐付けられる「識別のための指標」及び「識別情報」が「フォルダ」及び「フォルダ名」であって、ストレージは、フォルダ名及びフォルダごとの設定情報を記憶し、コントローラはフォルダの選択を受け付ける点。
（相違点２）
　本件補正発明は、コントローラは、カメラにより捕捉されるイメージデータをディスプレイに表示すると、識別のための指標の選択を受け付けて、選択を受け付けた識別のための指標に対応する設定情報を参照するのに対して、引用発明は、コントローラは、カメラにより捕捉されるイメージデータをディスプレイに表示する前に、識別のための指標の選択を受け付けて、選択を受け付けた識別のための指標に対応する設定情報を参照する点。
（相違点３）
　本件補正発明は、カメラによる画像の撮影が終了すると、選択を受け付けたグループに対応するアイコンを作成するのに対して、引用発明は、そのような構成を有していない点。
（４）判断
　以下、相違点について検討する。
ア　相違点１について
　ストレージに記憶する画像データのファイル管理方法として、ファイルをグループで管理する構成とし、グループ名とグループに対応付けるファイル名からなるグループ情報をストレージに記憶する手法と、ファイルをフォルダで管理する構成とし、フォルダで管理するファイル名をフォルダに保存する手法は、いずれも常套手段である。
　そして、引用発明において、ファイルをグループで管理する構成を採用し、撮影された画像のデータに紐付けられる「識別のための指標」及び「識別情報」が「グループ」及び「グループ情報」とすることは、当業者が適宜なし得る設計的事項である。
　よって、引用発明において、相違点１を本件補正発明のようにすることは、当業者が容易になし得ることである。
イ　相違点２について
　カメラを備えた電子機器において画像撮影時に参照する設定情報の設定を行う際に、カメラにより捕捉されるイメージデータをディスプレイに表示しながら行うことは常套手段である。
　そして、引用発明において、カメラにより捕捉されるイメージデータをディスプレイに表示しながら、画像撮影時に参照する設定情報の設定を行うように構成することは、当業者が適宜なし得る設計的事項である。
　よって、引用発明において、相違点２を本件補正発明のようにすることは、当業者が容易になし得ることである。
ウ　相違点３について
　引用文献２には、上記（２）イのとおり、デジタルカメラにおいて、ＣＰＵは、撮像部にから出力される撮影画像の画像データをフォルダに格納し、前記撮影画像のサムネイルを生成し、前記撮影画像のサムネイルを前記フォルダのフォルダアイコンとする技術が記載されており、引用文献２に記載の技術は、カメラによる画像の撮影が終了すると、画像データを保存するフォルダに対応するアイコンを作成するものである。
　引用発明と、引用文献２に記載された技術とは、いずれも、カメラを備えた電子機器の画像データの保存に関するものであるから、引用発明に引用文献２に記載された技術を適用して、カメラによる画像の撮影が終了すると、フォルダに対応するアイコンを作成することには、当業者が容易に想到し得ることである。
　またその際に、画像データのファイルをグループで管理する構成の場合に、作成するアイコンをグループに対応したものとすることも、当業者が適宜なし得ることである。
　よって、引用発明において、相違点３を本件補正発明のようにすることは、引用文献２に記載された技術を適用して、当業者が容易になし得ることである。
エ　そして、本件補正発明が奏する効果は、その容易想到である構成から当業者が容易に予測し得る範囲内のものであり、同範囲を超える顕著なものでもない。
　　
オ　したがって、本件補正発明は、引用発明及び引用文献２に記載された技術に基づいて、当業者が容易に発明をすることができたものであり、特許法第２９条第２項の規定により、特許出願の際独立して特許を受けることができないものである。
（５）まとめ 
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１．本願発明
　平成２９年８月７日付けの手続補正は、上記のとおり却下されたので、本願の請求項１〜６に係る発明は、平成２８年１１月２８日付けの手続補正により補正された特許請求の範囲の請求項１〜６に記載された事項により特定されるものであるところ、その請求項１に係る発明（以下「本願発明」という。）は、次のとおりのものである。
（本願発明）
（Ａ）カメラと、
（Ｂ）前記カメラにより撮影された画像のデータ、前記撮影された画像のデータに紐付けられるグループのグループ情報、及び前記グループごとに画像撮影時に参照する設定情報を記憶するストレージと、
（Ｃ１）前記カメラにより捕捉されるイメージデータをディスプレイに表示すると、前記撮影された画像のデータを紐付けるグループの選択を受け付けるコントローラと
　を有し、
（Ｃ２）前記コントローラは、前記カメラにより捕捉されるイメージデータをディスプレイに表示すると、前記ストレージに記憶されている前記設定情報の中から、前記選択を受け付けたグループに対応する前記設定情報を参照して、前記カメラによる画像の撮影を制御する
（Ｄ）電子機器。
２．引用文献
　原査定の拒絶の理由で引用された引用文献１の記載事項及び引用文献１に記載された発明は、上記第２の［理由］４（２）に記載したとおりである。
３．対比・判断
　本願発明は、本件補正発明から、構成Ｃ３に係る当該補正事項を省いたものである。
　そうすると、本願発明の構成要件をすべて含み、更に他の構成要件を付加したものに相当する本件補正発明が、上記第２［理由］４で判断したとおり、引用発明に基づいて、当業者が容易に発明をすることができたものであるから、本願発明も、同様の理由により、引用発明に基づいて、当業者が容易に発明をすることができたものである。
４．むすび
　以上のとおり、本願発明は、引用文献１に記載された発明に基いて当業者が容易に発明をすることができたものであるから、特許法第２９条第２項の規定により特許を受けることができない。
　したがって、他の請求項に係る発明について検討するまでもなく、本願は拒絶されるべきものである。
　よって、結論のとおり審決する。